(57)【要約】      （修正有）【課題】厨房器具に形成されたステンレス鋼天板の経年使用に伴う損傷・劣化をステンレス鋼天板の平面部及び湾曲部を含む全表面に渡り解消し、また、ステンレス鋼天板の表層を研削・剥離しかつ研磨痕を解消して、鏡面化被膜を再生するステンレス鋼天板の清掃用具を提供する。【解決手段】振動サンダーの研磨基盤にそれぞれ個別に又は順次交換して設置する平面型或は凸面円弧型の研摩パッド１，２又は円曲化した平面型の研摩パッド３、また、これらの研磨パッド１，２，３に装着するために調製しかつ粒度順に配備した、粗粒度から中粒度及び細粒度を経て極細粒度に至る研磨布紙、更に、これらの研磨布紙を収納する収納袋を帯状シートに横列に配置しかつ収納袋ごとに表裏自在に屈曲する溝を帯状シートに設置した収納具からなる、厨房器具に形成されたステンレス鋼天板を再生する掃除用具という構成からなる。【選択図】図１
0003201412.tif 000002
【実用新案登録請求の範囲】
【請求項１】
厨房器具に形成されたステンレス鋼天板の経年使用に伴う損傷・劣化を解消して、ステンレス鋼天板の鏡面化被膜を再生するにあたり、ステンレス鋼天板の平面部及び湾曲部を含む全ての表面に渡る処理を遂行するために、振動サンダーの研磨基盤に対し、それぞれ個別に設置し又は交換して順次設置する、平面型或は凸面円弧型の研摩パッド又は平行二辺の角を円曲化した平面型の研摩パッドからなる、厨房器具に形成されたステンレス鋼天板の清掃用具。
【請求項２】
厨房器具に形成されたステンレス鋼天板の経年使用に伴う損傷・劣化を解消して、ステンレス鋼天板の鏡面化被膜を再生するにあたり、ステンレス鋼天板の表層を研削・剥離しかつ研磨痕を完全に除去するために、平面型或は凸面円弧型の研摩パッド又は平行二辺の角を円曲化した平面型の研摩パッドにそれぞれ適応した形状に調製し、また、ステンレス鋼天板の損傷の深度割合に対応した装着を配備した、粗粒度から中粒度及び細粒度を経て極細粒度に至る研磨布紙からなる、請求項１の厨房器具に形成されたステンレス鋼天板の清掃用具。
【請求項３】
粗粒度から中粒度及び細粒度を経て極細粒度に至る研磨布紙を携行及び保管しかつ研磨パッドに対する装着を簡便にするために、縦の刺し込み口の上辺に切り込みを入れた収納袋を帯状シートに粒度順に横列に配置し、また、収納袋ごとに表裏に屈曲する溝を設置した帯状シートからなる、請求項１の厨房器具に形成されたステンレス鋼天板の清掃用具の収納具。
【考案の詳細な説明】
【技術分野】
【０００１】  本考案は、厨房器具に形成されたステンレス鋼天板の鏡面化被膜を再生する清掃用具に関する。
【背景技術】
【０００２】  ステンレス鋼天板は、平板に成型をなして鏡面化されているので、通常、耐食性がある、といわれる。ところが、厨房器具に形成されたステンレス鋼天板は、経年使用に伴って、傷や錆等の損傷により腐食化して、孔食に至ることがある。その結果、厨房器具全体の交換を避けるために、ステンレス鋼天板の損傷を除去し、鏡面化被膜を再生する必要がある。そこで、従来、いろいろな洗浄の試みがなされている。主たるものを取り上げてみると、次の二つである。【０００３】  一つは、手作業で或は掃除用具を用いて、洗剤・水性研磨剤等をスポンジ・不織布・フェルト等に付けて、清掃を兼ねた軽研磨による光沢仕上げをする試みがある。しかし、これでは、深度な損傷を殆ど処理できず、多分に残存し、かえって、諸物質の付着等によって錆類等を生じ腐食の原因となる。
他は、手作業を補うために、柔軟な布類・不織布・スポンジ等を具備した電動ポリッシャーによって、乾式又は水式の研磨剤を付与して、光沢を兼ねた研磨仕上げをする試みである。しかし、これでも、回転研磨痕を残し、横滑りや強力な押圧運転にも向かず、また、労力を費やす割には、表面の軽い傷の除去だけで、深度な損傷を含む表層を剥離研摩できない、従って、美的に表面の輝度を重視する光沢化の研磨仕上げ、という精密な鏡面化被膜の再生を期待できない。
【考案の開示】
【考案が解決しようとする課題】
【０００４】  本考案が解決しようする問題点は、次の通りである。【０００５】  手作業或は手動用掃除用具を用いる清掃兼光沢仕上げという既存の試みでは不十分である。これは、人的労力の負担を大にするのに対して、軽度な損傷を除去するに止まり、深度な損傷を処理には至らず、多数残存し、均一な鏡面化被膜の再生を困難とする。
電動ポリッシャーによる作業という既存の試みでも不十分である。これは、省力化にはなるけれども、表面の軽度な損傷の除去に止まり、押圧による強力な研磨力がなく、深度な損傷を含む全表層を一律に研削・剥離できないので、全表層の正確な鏡面化被膜を再生できない。【０００６】  これらの既存の試みは、いずれも、深度な損傷の解消を通して、均一な鏡面化被膜を再生するには至らない。そこで、この問題点を解決するためには、ステンレス鋼天板の損傷の深度に応じて、表層を全域に渡って研削・研磨できる複数の研磨紙を装着し、また、ステンレス鋼天板の平面部及び湾曲部の全てに対応できる複数の型の研磨パッドを設置した振動サンダーを用いて、強力な研削・研磨作用により、容易にかつ正確に鏡面化被膜の再生を可能にすることである。
【課題を解決するための手段】
【０００７】  本考案が解決する手段は、次の通りである。【０００８】  先ず、厨房器具に形成されたステンレス鋼天板の経年使用に伴う損傷・劣化を解消して、ステンレス鋼天板の鏡面化被膜を再生するにあたり、ステンレス鋼天板の平面部及び湾曲部を含む全ての表面に渡る処理を遂行するために、振動サンダーに具備された正方形又は長方形の研磨基盤に対して、それぞれ個別に設置し又は順次交換して設置する、平面型をした研磨パッド（１）或は凸面円弧型をした研磨パッド（３）又は平行二辺の角を円曲化した平面型の研摩パッド（２）からなる、厨房器具に形成されたステンレス鋼天板の掃除用具である。【０００９】  次に、厨房器具に形成されたステンレス鋼天板の経年使用による損傷・劣化を解消して、ステンレス鋼天板の鏡面化被膜を再生するにあたり、ステンレス鋼天板の表層を研削・剥離しかつ研磨痕を完全に解消するために、平面型をした研磨パッド（１）或は凸面円弧型をした研磨パッド（３）又は平行二辺の角を円曲化した平面型の研摩パッド（２）にそれぞれ適応した形状に調製し、また、ステンレス鋼天板の損傷の深度割合に対応した装着を配備した、粗粒度から中粒度及び細粒度を経て極細粒度に至る研磨布紙（４）（５）（６）からなる、厨房器具に形成されたステンレス鋼天板の掃除用具である。【００１０】  最後に、粗粒度から中粒度及び細粒度を経て極細粒度に至る研磨布紙（４）（５）（６）を携行及び保管しかつ研磨パッドに対する装着を簡便にするために、縦の刺し込み口の上辺に切り込み（１０）を入れた収納袋（９）を帯状シート（８）に粒度順に横列に配置し、また、収納袋（９）ごとに表裏自在に屈曲する溝（１１）を設置した帯状シート（８）からなる、厨房器具に形成されたステンレス鋼天板の掃除用具の収納具（７）である。
【考案を実施するための形態】
【００１１】  本考案の実施の形態は、次の通りである。
【００１２】  図１に示すように、平面型研摩パッド（１）、凸面円弧型研磨パッド（３）、平行二辺の角を円曲化した平面型研摩パッド（２）の三種類である。
【００１３】  図２に示すように、粗粒度から中粒度及び細粒度を経て極細粒度に至る研磨布紙（４）（５）（６）を配置したものである。
【００１４】  図３に示すように、研磨布紙（４）（５）（６）の収納袋（９）を帯状シート（８）に横列に配置した収納具（７）である。
【考案の効果】
【００１５】  本考案の効果は、次の通りである。
【００１６】  本考案は、ステンレス鋼天板に生じた深度な損傷に対応して、強力な研磨力を有する振動サンダーを以って、表層を全域に渡り一律に研削・剥離するので、均一でかつ平坦な鏡面化被膜を容易に再生できる。
また、ステンレス鋼天板の平面部及び湾曲面部を含む全ての表面に対応できる複数の研磨パッドを設置するので、ステンレス鋼天板に生じた損傷の全てを除去し、全表面を一体的にかつ均一に鏡面化被膜を再生できる。
その結果、ステンレス鋼天板に損傷を残存しないので、腐食の原因となる諸物質の付着・滞留がなくなり、洗浄が容易となり、防食と共に孔食に至ることを防止できる。したがって、厨房器具の耐久性の向上と設備コストを軽減し、また、新商品と同様に、美観を高めかつ衛生環境を創出できる。
【図面の簡単な説明】
【００１７】
【図１】  本考案に関する平面型の研摩パッド（１）、凸面円弧型の研磨パッド（２）、平行二辺の角を円曲化した平面型の研摩パッド（３）を列挙した図である。
【図２】  本考案に関する研磨パッドに装着する粗粒度から中粒度・細粒度を経て極細粒度に至る研磨布紙（４）（５）（６）を配備した図である。
【図３】  本考案に関する研磨布紙（４）（５）（６）の収納袋（９）を横に配列した帯状シート（８）からなる収納具（７）の図である。
【符号の説明】
【００１８】  １  平面型研摩パッド
２  凸面円弧型研磨パッド
３  円角の平面型研摩パッド
４  凸面円弧型研磨パッド用研磨布紙
５  円角の平面型研磨パッド用研磨布紙
６  平面型研磨パッド用研磨布紙
７  収納具
８  帯状シート
９  収納袋
１０  切込み
１１  溝
【実施例】
【００１９】  本考案の実施例は、次の通りである。【００２０】  本考案は、厨房器具に形成されたステンレス鋼天板の経年使用に伴う損傷・劣化を解消して、鏡面化被膜を再生する掃除用具に関する考案である。これは、振動サンダーの研磨基盤に設置する研磨パッド（１）（３）（４）とこの研磨パッドに装着する研磨布紙（４）（５）（６）及び収納具（７）から構成されている。【００２１】  先ず、研磨パッドである。振動サンダーは、正方形又は長方形の研磨基盤を具備したものであれば、市販のものでよい。研磨基盤に設置する研磨パッドは、平面型の研摩パッド（１）、凸面円弧型の研摩パッド（３）、平行する二辺の角を落として丸くした、所謂、円曲化した平面型研磨パッド（２）の三種である。
これらの研磨パッド（１）（３）（２）は、流し台・調理台・コンロ台に形成されたステンレス鋼天板の平面部及び湾曲部を含む、全ての表面を処理するために、いろいろな部位に対応して、三台の振動サンダーの研磨基盤にそれぞれ個別に設置してもよいし、又は、一台の振動サンダーの研磨基盤に順次交換して設置してもよい。【００２２】  次に、研磨布紙である。研磨布紙は、粒度順にいうと、粗粒度の研磨布紙（２４０番−３２番）から、中粒度の研磨布紙（６００番）と細粒度の研磨布紙（１２００番）を経て、極細粒度の研磨布紙（２５００番−３０００番）である（４）（５）（６）。
これらの研磨布紙（４）（５）（６）は、ステンレス鋼天板に生じた損傷の深度割合に対応して装着を簡便にするために、粒度順に配置し、また、平面型の研摩パッド（１）、凸面円弧型の研摩パッド（３）、平行二辺の角を円曲化した平面型の研摩パッド（２）に適応した形状に調製する。【００２３】  更に、収納具（７）である。収納袋（９）と帯状シート（８）からなる。収納袋（９）は、それぞれ、粗粒度から中粒度及び細粒度を経て極細粒度の研磨布紙（４）（５）（６）を収納する。帯状シート（８）の素材は、布・プラスチック等である。
研磨パッド（１）（３）（２）に研磨布紙（４）（５）（６）を簡便に装着するために、粒度順に研磨布紙（４）（５）（６）を収納した収納袋（９）を横列に配置し、かつ、収納袋（９）の上辺に切り込み（１０）を入れ、また、研磨布紙（４）（５）（６）の携行及び保管を簡便とするために、収納袋（９）ごとに表裏いずれにも折り曲げできる溝（１１）を帯状シート（８）に設置する。【００２４】  最後に、本考案の実施にあたり、流し台・調理台・コンロ台に形成されたステンレス鋼天板の平面部及び湾曲部を含む全ての表面のいずれの部位にも対応できるように、三種の研磨パッド（１）（３）（２）から選択した一つの研磨パッドを振動サンダーの研磨基盤に設置し、または、それぞれの研磨基盤に研磨パッド（１）（３）（２）を設置した振動サンダーを選択する。
ステンレス鋼天板に生じた深度な損傷を研削・剥離するために、粗粒度の研磨布紙（４）（５）（６）を帯状シート（８）に接着された収納袋（９）から抜き出し、また、粗粒度の研磨布紙（４）（５）（６）を振動サンダーの研磨基盤に設置された研磨パット（１）（３）（２）に装着する。ステンレス鋼天板に残った研磨痕を解消するために、中粒度及び細粒度の研磨布紙（４）（５）（６）を研磨パッド（１）（３）（２）に装着し、また、鏡面化被膜を再生するために、極細粒度の研磨布紙（４）（５）（６）を研磨パッド（１）（３）（２）に装着する。
【図１】
0003201412.tif 000003
【図２】
0003201412.tif 000004
【図３】
0003201412.tif 000005